(57)【要約】【課題】騒音を低減し、乾燥時間を短縮するとともに、使用感の良い手乾燥装置を提供すること。【解決手段】外部に向かって開口した空間部２を有し、この空間部２に挿入された手の両側から一対のノズル１５、１６から吹き出した空気流を吹き当てて手に付着した水分を払拭する手乾燥装置であって、空気流が手の挿入方向に互いにずらされた状態で噴出するようにした。また、両側から吹き出した空気流がほぼ平行になるようにした。さらに、両側からの空気流のずれ量を０ｍｍ〜３０ｍｍに設定した。【選択図】        図１
2004261510.tif 000002
【特許請求の範囲】
【請求項１】
外部に向かって開口した空間部を有し、該空間部に挿入された手の両側から空気流を吹き当てて手に付着した水分を払拭する手乾燥装置であって、
前記両側からの空気流を手の挿入方向に互いにずらした状態で噴出するようにしたことを特徴とする手乾燥装置。
【請求項２】
前記両側からの空気流がほぼ平行状態に噴出するようにしたことを特徴とする請求項１記載の手乾燥装置。
【請求項３】
前記両側からの空気流のずれ量を０ｍｍ〜３０ｍｍに設定したことを特徴とする請求項１または２記載の手乾燥装置。
【請求項４】
前記手の平が挿入される側の空気流の流量を手の甲が挿入される側の空気流の流量よりも多くし、かつ、前記手の平が挿入される側の空気流の位置を前記手の甲が挿入される側の空気流の位置よりも奥側に配置したことを特徴とする請求項１、２、３のいずれかに記載の手乾燥装置。
【請求項５】
前記両側からの空気流のそれぞれが対向する壁面に衝突した後、それぞれの空気流の流れが衝突壁面側にある噴出空気流に干渉しない方向に流れることを特徴とする１、２、３、４のいずれかに記載の手乾燥装置。
【請求項６】
前記空気流を噴出するノズルを対向面に設けた凹部や突出部に衝突させて反転させることを特徴とする請求項５記載の手乾燥装置。
【発明の詳細な説明】
【０００１】
【発明の属する技術分野】
本発明は、洗浄後の濡れた手を衛生的に乾燥させる乾燥装置に関するものである。
【０００２】
【従来の技術】
手を衛生的な状態に保全するには、手の洗浄とともに、洗浄後の乾燥処理も衛生的に行う必要があり、そのために、洗浄などによって濡れた手を直接的に乾燥させる手乾燥装置が知られている。
従来の手乾燥装置は、本体上部に開口した手乾燥室を有し、送風手段から発生した空気流をノズルを介して少なくとも３ケ所以上の吹出し口に連通し、手乾燥室には吹出し口が互いに対向することなく設けられていて、手を擦りあわせる空間を形成している。こうして、濡れた両手を手乾燥室に挿入し、３ケ所以上の吹出し口から吐出する吹出し風に当てながら両手を擦りあわせるなどして、手を乾燥させる（例えば、特許文献１参照）。
【０００３】
【特許文献１】
特開２００１−３４６７１５号公報（第４頁、図１）
【０００４】
【発明が解決しようとする課題】
しかしながら、従来の手乾燥装置では、両手を擦りあわせる動作が煩雑になるため、ごく短時間で手を乾燥させることができず、また、使用感も悪い。
【０００５】
本発明は、上記の課題を解決するためになされたものであり、第１には騒音を低減し、第２には乾燥時間を短縮し、第３には使用感の良い手乾燥装置を提供することを目的とする。
【０００６】
【課題を解決するための手段】
本発明は、外部に向かって開口した空間部を有し、この空間部に挿入された手の両側から空気流を吹き当てて手に付着した水分を払拭する手乾燥装置であって、先の両側からの空気流を手の挿入方向に互いにずらした状態で噴出するようにした。
【０００７】
【発明の実施の形態】
［実施の形態１］
図１は本発明の実施の形態１に係る手乾燥装置の縦断面図、図２は図１の平面図、図３は図１のノズル部分の拡大正面図である。図において、箱体１は手乾燥装置の外殻をなし、箱体１の上部には手を挿入できる手挿入室２が設けられ、その上面及び側面を開口して（上面のみを開口してもよい）、ほぼＵ字状をなす内壁面３を構成している。
【０００８】
内壁面３は、対向する前面４と後面５、及び底面８とによって構成され、後面５は後上面６と後下面７により構成されるほぼ逆く字状をなし、後上面６は前方に向かって傾斜し、後下面７はほぼ垂直に形成されている。また、手挿入室２の底面８には手から飛散した水を排水する排水口９が設けられており、排水口９には排水管１０が接続され、排水管１０にはここから流出するドレン水を溜めるドレンタンク１１が接続されている。
【０００９】
手挿入室２には、手の挿入の有無を検出する第１、第２、第３の手検出手段１２、１３、１４が設けられ、第１の手検出手段１２は前面４の最上部付近に、第２の手検出手段１３は内壁面５の後上面６に、第３の手検出手段１４は底面８にそれぞれ配設されている。
【００１０】
手挿入室２の内壁面３の前面４と後面５の上部には、高圧空気流（以下、単に空気流という）を吹き出して手を乾燥させる第１、第２のノズル１５、１６を上下方向に位置をずらして、すなわち第１のノズル１５の位置を第２のノズル１６の位置よりも下方向にずらして配設され、複数の噴出口が両ノズル１５、１６の長手方向に列状に配設されている。そして、図１に矢印で示すように、それぞれの空気流が上下方向にずれた状態で噴出し、噴出された空気流同士は対向する壁面に衝突する前に互いにぶつからないように構成してある。また、第１のノズル１５の空気流は、後面５の後上面６に衝突した後、壁面に沿って方向を変え、後下面７方向に流れるようになっている。
【００１１】
第１のノズル１５の上部壁面には、第２のノズル１６に対向した位置に例えば断面半円状の凹部１７が形成されており、第２のノズル１６から噴出した空気流は凹部１７に衝突し、反転したあと手挿入室２の開口部側に向かうようにしてある。
【００１２】
上記のように構成した第１、第２のノズル１５、１６の上下方向のずれ量は、０ｍｍ〜３０ｍｍに設定するのが好ましい。例えば、図４に示すように、ノズル位置のずれ量（ｍｍ）を変化させた場合の騒音変化（ｄＢ）は、ずれ量が０ｍｍ、１０ｍｍ、２０ｍｍのとき、騒音はそれぞれ、ほぼ５７ｄＢ、５６ｄＢ、５３ｄＢとなり、ずれ量の増加に伴って騒音は低下していく。
【００１３】
一方、図５に示すように、ずれ量（ｍｍ）を変化させた場合の乾燥時間（ｓｅｃ）は、ずれ量が０ｍｍ、１０ｍｍ、２０ｍｍ、３０ｍｍのとき、乾燥時間はそれぞれ、ほぼ７ｓｅｃ、６ｓｅｃ、６ｓｅｃ、７ｓｅｃとなり、ほぼＵ字形の線図をなす。
このようにして、ずれ量を０ｍｍ〜３０ｍｍに設定すると、乾燥効率が良好である。
【００１４】
また、上記の構成において、内壁３の前面４側に位置する第１のノズル１５の風量が、後面５側に位置する第２のノズル１６の風量よりも多くなるように設定してある。
【００１５】
手挿入室２の内壁面３に隣接して排気ダクト１８が設けられており、この排気ダクト１８には高圧空気流を送風する送風機を具備した高圧空気発生装置１９が接続され、高圧空気発生装置１９からの空気を排気ダクト１８を通して第１、第２のノズル１５、１６に導く。高圧空気発生装置１９の吸気口２０には、吸気空気中の埃などを除去する着脱可能なフィルター２１が設けられている。
【００１６】
次に、本実施の形態の作用について説明する。まず、濡れた手を手挿入室２に挿入（通常、手の平を第１のノズル１５側にして挿入する）すると、手挿入室２の壁面上に設けられた第２、第３の検知手段１３、１４が手の挿入を検知する。こうして、手が挿入されたと判断した制御手段（図示せず）が高圧空気発生装置１９を作動させて、吸気口２０から空気を吸い込む。このとき、空気中の埃等はフィルター２１で除去されて、高圧空気発生装置１９内で清浄な高圧空気が作られる。
【００１７】
この清浄化された高圧空気は、手挿入室２に隣接する排気ダクト１８に送られ、内壁面３に対向して設けられた第１、第２のノズル１５、１６から、図１、図２に矢印で示すように空気流となって吹き出され、手に当たる。このため、手挿入室２に挿入した手を擦り合わせることなく、手に付着した水滴を手の表面から手挿入室２の底部８に吹き飛ばして排除するので、濡れた手は乾燥した状態になる。一方、この吹き飛ばされた水滴は、排水管１０からドレンタンク１１に流れてここに溜まるので、飛散した水によって手乾燥装置の周囲が濡れることはない。
【００１８】
その後、手を手挿入室２から上方に抜く乾燥動作にあっても、手挿入室２内に手がある状態では、第１、第２の手検知手段１２、１３が引き続き手を検知し続けるため、継続して第１、第２のノズル１５、１６から空気流が吹き出されているので、手の表面の水分等が排除されて、手はさらに乾燥する。手が手挿入室２から完全に抜き出されて第１、第２の手検知手段１２、１３が手を検知しなくなった後は、短時間、運転継続した後、運転を停止する。
乾燥過程の際、第１、第２のノズル１５、１６から噴出する空気流の噴出位置にはずれがあるため、手の平、手の甲の両面側の水分を効率よく排除することができる。
【００１９】
乾燥動作が終了して、手が手挿入室２から完全に抜き出された後の運転継続時においては、第１、第２のノズル１５、１６から吐出する空気流が上下方向にずれているため互いの空気流が衝突せず、気流衝突音が発生しないので、騒音を低減することができる。特に、図６に示すように、凹部１７を設けている場合は、第２のノズル１６から噴出した空気流ｃは凹部１７で反転して開口部側に流出して空気流ｄとなるため、第１のノズル１５から流出した空気流ａに干渉せず、騒音の発生が抑えられるとともに、使用者への使用感も向上する。また、後面５はほぼ逆く字状に構成されているので、第１のノズル１５から流出した空気流ａは傾斜した後上面６に衝突後、下方向に向かい、後下面７に沿って空気流ｂとして下降するので、第２のノズル１６から噴出した空気流ｃと干渉せず、騒音の発生が抑えられる。
【００２０】
これに対して、図１３の比較例に示すように、凹部１７がなく、後面が単に平面状に形成されている場合は、第２のノズル１６ａから噴出する空気流ｃが前面４ａに衝突し、分流して空気流ｇとなり、第１のノズル１５ａから噴出される空気流ａの根元に衝突するので、噴流衝突音、乱流音が発生する。また、分流した空気流ｄは前面４ａに沿って上方に吹き上がるため、使用者側の使用感を損なうので好ましくない。また、第１のノズル１５ａから噴出する空気流ａは後面５ａに衝突して分流した一方の空気流ｈが後面５ａに沿って上方に吹き上がり、第２のノズル１６ａから噴出した空気流ｃと衝突するため、噴流衝突音、乱流音が発生する。
【００２１】
手の表面性状から、手の甲より手の平の方が水分の付着力が強く乾燥しにくいことは一般に知られているが、装置手前に位置する第１のノズル１５の風量を、装置奥側に位置する第２のノズル１６の風量よりも多く設定しているので、手挿入室２に挿入した手の平、手の甲の水分排除を均一にすることができる。
また、第１のノズル１５を、第２のノズル１６よりも下方（奥側）にずらして設置したので、より乾燥効率が向上する。
【００２２】
なお、上記の説明では、第１、第２のノズル１５、１６は複数の噴出口が列状に配設されるとしたが、図７に示すようにスリット状の噴出口を有したものでもよく、あるいは、図８に示すように噴出口を有する複数のノズルを中央部が最上位になるようにへ字形状に列配列したものでもよい。さらに、図９に示すようにスリット状の噴出口を有するノズルをへの字形状にしたものでもよく、あるいは、図１０に示すようにスリット状の噴出口を有するノズルをハ字形状にしたものであってもよい。
【００２３】
また、上記の説明では、第１、第２のノズル１５、１６から噴出した空気流が壁に衝突する前にほぼ平行になるようにしておき、噴出した空気流同士が壁に到達する前に衝突しないようにして騒音の発生を防いでいるが、平行でなくても噴出された空気流同士が対向する壁に衝突する前に互いに衝突しなければよい。
【００２４】
例えば、図１１に示すように、第２のノズル１６から空気流ｅをやや上方向に噴出して前面４に衝突させてもよく、また第１のノズル１５からの空気ｆをやや下方向に噴出して後面５に衝突させてもよい。
【００２５】
［実施の形態２］
図１２は本発明の実施の形態２に係る手乾燥装置の断面図である。図において、箱体１は手乾燥装置の外殻をなし、この箱体１の前部には手を挿入できる手挿入室２が設けられ、その前面を開口してほぼコ字状をなす内壁面３を構成している。
【００２６】
内壁面３は、対向する上面２２と底面２３、及び後面２４とによって構成され、上面２２は奥側に向かって下方向に傾斜している。手挿入室２の底面２３には排水口９及び排水管１０が接続され、排水管１０はドレンタンク１１に接続されている。また、手挿入室２には、手の挿入の有無を検出する検出手段１２が、内壁面３の上面２２に配設されている。
【００２７】
手挿入室２の内壁面３の底面２３の前側と上面２２の前側とには、高圧空気流を吹き出して手を乾燥する第１、第２のノズル１５、１６が設けられており、第１のノズル１５が第２のノズル１６よりも０ｍｍ〜３０ｍｍほど後側に位置をずらして設けられており、複数の空気流が前後にずれた状態で噴出する。
【００２８】
第１のノズル１５の上面２２には、第２のノズル１６に対向した位置に凹部１７が形成されており、第２のノズル１６の空気流は凹部１７に衝突して反転した後、手挿入室２の開口部側に向かうようにしてある。
第２のノズル１６の後側の底面２３には、第１のノズル１５に対向した位置に手挿入室２の奥側に傾斜した傾斜面２５が形成されており、第１のノズル１５の空気流は傾斜面２５に衝突した後、底面２３に沿って手挿入室２の奥側に向かうようにしてある。
なお、内壁面３の上面２２側に位置する第１のノズル１５の風量が、底面２３側に位置する第２のノズル１６の風量よりも多くなるように設定してある。
【００２９】
箱体１の内部には手挿入室２を囲むようにして排気風路１８が設けられており、この排気風路１８の上部には高圧空気流を送風する送風機を具備した高圧空気発生装置１９が設置され、高圧空気発生装置１９からの空気を排気風路１８によって第１、第２のノズル１５、１６に導く。排気風路１８の後部には吸気風路２６が設けられており、その下部に位置する吸気口２０には、吸気空気中の埃などを除去する着脱可能なフィルター２１が設けられている。
【００３０】
次に、作用について説明する。まず、濡れた手を手挿入室２に挿入（通常、手の平を第１のノズル１５側にして挿入する）すると、手挿入室２の検知手段１２が手の挿入を検知し、高圧空気発生装置１９を作動させ、フィルター２１を通して吸気口２０から清浄化された空気を吸い込む。この高圧空気は、吸気風路２６を通って排気風路１８に送られ、第１、第２のノズル１５、１６から吹き出されて、手に当たる。そして吹き飛ばされた水滴は、排水管１０からドレンタンク１１に流れる。
【００３１】
その後、手が手挿入室２から完全に抜き出されて手検知手段１２が手を検知しなくなった後は、短時間、運転継続した後、運転を停止する。
【００３２】
乾燥動作が終了して、手が手挿入室２から完全に抜き出された後の運転継続時においては、第１、第２のノズル１５、１６から噴出する空気流が前後方向にずれているため、互いの空気流が衝突することはない。この場合、第１のノズル１５の空気流は傾斜面２５に当たった後、手挿入室２の奥側に向かい、また、第２のノズル１６の噴流は凹部１７に当たって反転した後、開口部側に流れる。
その他の作用、効果は、実施の形態１で示した場合と実質的に同様なので、説明を省略する。
【００３３】
【発明の効果】
以上の説明から明らかなように、本発明によれば、手挿入室に高圧空気発生装置により生成される高速空気流がノズルから噴出し、手挿入室に濡れた手をかざすように差し入れるだけで、手に付着した水分は高速空気流によって手から吹き飛ばされることになり、煩わしさ、面倒さ、違和感を伴うことなく簡単かつ迅速に、衛生的で快適な手の乾燥処理を行うことができる。特に騒音の発生が抑えられるため、使用感が一層向上する。
【図面の簡単な説明】
【図１】本発明の実施の形態１に係る手乾燥装置を模式的に示した縦断面図である。
【図２】図１の平面図である。
【図３】図１のノズルの拡大正面図である。
【図４】実施の形態１におけるノズル位置のずれ量と騒音との関係を示す線図である。
【図５】実施の形態１におけるノズル位置のずれ量と乾燥時間との関係を示す線図である。
【図６】図１の作用説明図である。
【図７】実施の形態１に係る他のノズルの拡大正面図である。
【図８】実施の形態１に係るさらに他のノズルの拡大正面図である。
【図９】実施の形態１に係る別のノズルの拡大正面図である。
【図１０】実施の形態１に係るさらに別のノズルの拡大正面図である。
【図１１】図１の作用説明図である。
【図１２】本発明の実施の形態２に係る手乾燥装置を模式的に示した縦断面図である。
【図１３】実施の形態１の比較例の説明図である。
【符号の説明】
１  箱体、２  手挿入室、３  内壁面、１２  第１の手検知手段、１３  第２の手検知手段、１４  第３の手検知手段、１５  第１のノズル、１６  第２のノズル、１７  凹部、２５  傾斜面。
【図１】
2004261510.tif 000003
【図２】
2004261510.tif 000004
【図３】
2004261510.tif 000005
【図４】
2004261510.tif 000006
【図５】
2004261510.tif 000007
【図６】
2004261510.tif 000008
【図７】
2004261510.tif 000009
【図８】
2004261510.tif 000010
【図９】
2004261510.tif 000011
【図１０】
2004261510.tif 000012
【図１１】
2004261510.tif 000013
【図１２】
2004261510.tif 000014
【図１３】
2004261510.tif 000015